(57)【要約】【課題】弾性体の変形が陽極、陰極、および陽イオン交換膜に悪影響を与えることを抑制することができる電解水生成装置を提供する。【解決手段】電解水生成装置１００は、容器部１の底面と陽極Ａ、陰極Ｃ、および陽イオン交換膜Ｉとの間に設けられた弾性体３を備え、ハウジング５は、陽極Ａ、陰極Ｃ、および陽イオン交換膜Ｉを受け入れる容器部１と、容器部１の開口を閉塞する蓋部２と、を含み、蓋部２が陽極Ａ、陰極Ｃ、および陽イオン交換膜Ｉを弾性体３に向かって押さえ付けるように構成されており、弾性体３は、弾性体３が容器部１の側壁に向かって変形することを抑制する中空部Ｈを含んでいる。【選択図】図１
2020011178.tif 000002
【特許請求の範囲】
【請求項１】
陽極と、
陰極と、
前記陽極と前記陰極との間に設けられた陽イオン交換膜と、
水が流入する流入口と、前記水が流出する流出口とを有し、前記陽極、前記陰極、および前記陽イオン交換膜を内包するハウジングと、を備え、
前記ハウジングは、前記陽極、前記陰極、および前記陽イオン交換膜を受け入れる容器部と、前記容器部の開口を閉塞する蓋部と、を含み、
前記容器部の底面と前記陽極、前記陰極、および前記陽イオン交換膜との間に設けられた弾性体をさらに備え、
前記蓋部が前記陽極、前記陰極、および前記陽イオン交換膜を前記弾性体に向かって押さえ付けるように構成されており、
前記弾性体は、前記弾性体が前記容器部の側壁に向かって変形することを抑制する中空部を含む、電解水生成装置。
【請求項２】
前記中空部は、前記蓋部から前記容器部の底面に向かう方向に延びる貫通孔である、請求項１に記載の電解水生成装置。
【請求項３】
前記弾性体は、ある方向に沿って延びる実質的に直方体の形状を有し、
前記中空部は、前記直方体の長手方向に沿って一列に並べられた、請求項１または２に記載の電解水生成装置。
【請求項４】
陽極と、
陰極と、
前記陽極と前記陰極との間に設けられた陽イオン交換膜と、
水が流入する流入口と、前記水が流出する流出口とを有し、前記陽極、前記陰極、および前記陽イオン交換膜を内包するハウジングと、を備え、
前記ハウジングは、前記陽極、前記陰極、および前記陽イオン交換膜を受け入れる容器部と、前記容器部の開口を閉塞する蓋部と、を含み、
前記容器部の底面と前記陽極、前記陰極、および前記陽イオン交換膜との間に設けられた弾性体をさらに備え、
前記容器部は、前記容器部の底面と前記容器部の内側面とを連続するように接続する円弧状コーナー部を含み、
前記弾性体は、前記弾性体の下面と前記弾性体の側面とを連続するように接続し、前記円弧状コーナー部に密着する円弧状面取り部を含み、
前記容器部は、前記容器部の内側の側面に容器被嵌合部を含み、
前記弾性体は、前記弾性体の側面に前記容器被嵌合部と嵌合する弾性体嵌合部を含み、
前記弾性体嵌合部および前記容器被嵌合部は、前記陽極、前記陽イオン交換膜、および前記陰極の積層方向において前記弾性体が前記ハウジングへ裏表逆向きに入れられることを防止する構造を構成している、電解水生成装置。
【請求項５】
前記弾性体は、前記水の通水方向に垂直な仮想平面に対して鏡面対称である、請求項４に記載の電解水生成装置。
【発明の詳細な説明】
【技術分野】
【０００１】
本開示は、電解水生成装置に関する。
【背景技術】
【０００２】
従来から、オゾン水のような電解水を生成する電解水生成装置の開発が行われている。電解水生成装置は、陽極と、陰極と、陽極と陰極との間に設けられた陽イオン交換膜と、を備えている。電解水生成装置は、水が流入する流入口と、水が流出する流出口とを有し、陽極、陰極、および陽イオン交換膜を内包するハウジングを備えている。ハウジングは、陽極、陰極、および陽イオン交換膜を受け入れる容器部と、容器部の開口を閉塞する蓋部と、を含んでいる。
【先行技術文献】
【特許文献】
【０００３】
【特許文献１】特開２０１７−１７６９９３号公報
【発明の概要】
【発明が解決しようとする課題】
【０００４】
上記した従来の電解水生成装置は、蓋部が、陽極、陰極、および陽イオン交換膜を容器部の底面側に向かって押さえるようにして組み立てられる。また、電解水生成装置は、容器部の底面と陽極、陰極、および陽イオン交換膜との間に設けられた弾性体を備えている。この弾性体は、電解水姿勢装置の組み立て時に蓋側から陽極、陰極、および陽イオン交換膜に加わる圧力を吸収し、陽極、陰極、および陽イオン交換膜が適度な押圧状態となるよう調整する機能を有する。
【０００５】
しかしながら、従来の電解水生成装置においては、前述の弾性体が中実であるため、弾性体が、蓋部側から受ける圧力の大きさ次第では、容器部の側壁を外側に押し出すように変形することによって、容器部を変形させたり、破損させたりする可能性がある。
【０００６】
本発明は、このような従来技術の有する課題に鑑みてなされたものである。そして、本発明の目的は、弾性体の変形が容器部に悪影響を及ぼすことを抑制することができる電解水生成装置を提供することである。
【課題を解決するための手段】
【０００７】
上記課題を解決するために、本開示の第１の態様に係る電解水生成装置は、陽極と、陰極と、前記陽極と前記陰極との間に設けられた陽イオン交換膜と、水が流入する流入口と、前記水が流出する流出口とを有し、前記陽極、前記陰極、および前記陽イオン交換膜を内包するハウジングと、を備え、前記ハウジングは、前記陽極、前記陰極、および前記陽イオン交換膜を受け入れる容器部と、前記容器部の開口を閉塞する蓋部と、を含み、前記容器部の底面と前記陽極、前記陰極、および前記陽イオン交換膜との間に設けられた弾性体をさらに備え、前記蓋部が前記陽極、前記陰極、および前記陽イオン交換膜を前記弾性体に向かって押さえ付けるように構成されており、前記弾性体は、前記弾性体が前記容器部の側壁に向かって変形することを抑制する中空部を含んでいる。
【０００８】
本開示の第２の態様に係る電解水生成装置は、陽極と、陰極と、前記陽極と前記陰極との間に設けられた陽イオン交換膜と、水が流入する流入口と、前記水が流出する流出口とを有し、前記陽極、前記陰極、および前記陽イオン交換膜を内包するハウジングと、を備え、前記ハウジングは、前記陽極、前記陰極、および前記陽イオン交換膜を受け入れる容器部と、前記容器部の開口を閉塞する蓋部と、を含み、前記容器部の底面と前記陽極、前記陰極、および前記陽イオン交換膜との間に設けられた弾性体をさらに備え、前記容器部は、前記容器部の底面と前記容器部の内側面とを連続するように接続する円弧状コーナー部を含み、前記弾性体は、前記弾性体の下面と前記弾性体の側面とを連続するように接続し、前記円弧状コーナー部に密着する円弧状面取り部を含み、前記容器部は、前記容器部の内側の側面に容器被嵌合部を含み、前記弾性体は、前記弾性体の側面に前記容器被嵌合部と嵌合する弾性体嵌合部を含み、前記弾性体嵌合部および前記容器被嵌合部は、前記陽極、前記陽イオン交換膜、および前記陰極の積層方向において前記弾性体が前記ハウジングへ裏表逆向きに入れられることを防止する構造を構成している。
【発明の効果】
【０００９】
本開示の第１の電解水生成装置によれば、弾性体の変形が容器部に悪影響を及ぼすことを抑制することができる。
【００１０】
本開示の第２の電解水生成装置によれば、これによれば、陰極、陽極、および陽イオン交換膜の積層方向における弾性体のハウジングへの裏表逆入れを容易に防止することができる。
【図面の簡単な説明】
【００１１】
【図１】実施の形態の電解水生成装置の分解斜視図である。
【図２】実施の形態の電解水生成装置の幅方向に沿って切った縦断面図である。
【図３】実施の形態の電解水生成装置の弾性体の裏表逆入れ防止構造の拡大斜視図である。
【発明を実施するための形態】
【００１２】
以下、図面を参照しながら、実施の形態の電解水生成装置を説明する。複数の図面同士の間において、同一の参照符号が付された部分同士は、図面上における形状に多少の相違があっても、特段の記載がない限り、互いに同一の機能を発揮するものとする。
【００１３】
本実施の形態においては、電解水生成装置１００は、電解水としてオゾン水を生成するオゾン水生成装置である。なお、オゾン水は、殺菌または有機物分解に有効であるため、水処理分野、食品、または医学分野において利用されており、残留性が低いこと、および、副生成物が生成されないという利点を有している。
【００１４】
本明細書においては、図１のＸ方向は、水の流路に沿った方向であり、通水方向と呼ばれる。図１に示されるように、電解水生成装置１００は、Ｘ方向が長手方向となる直方体形状を有している。図１のＹ方向は、水の流路を横切る方向であり、幅方向と呼ばれる。Ｙ方向は、水平面に沿った方向であるものとする。図１のＺ方向は、給電体Ｆ、陽極Ａ、陽イオン交換膜Ｉ、および陰極Ｃが積層される方向であり、積層方向と呼ばれる。図１では、電解水生成装置１００の蓋部２が上側に位置付けられる状態で、上下方向がＺ方向として示されている。Ｘ方向、Ｙ方向、Ｚ方向は、図１に示される方向の組合せに限定されず、電解水生成装置１００は、どのような姿勢で設けられていてもよい。
【００１５】
ただし、実施の形態の電解水生成装置１００は、その流路が鉛直方向に沿って延びるような姿勢で他の装置に組み込まれることが望ましい。より具体的には、電解水生成装置１００は、その流入口Ｆｉｎが下を向き、かつ、その流出口Ｆｏｕｔが上を向くような姿勢で他の装置へ組み込むことが好ましい。言い換えると、電解水生成装置１００の姿勢は、水が下方から上方へ流れるように設定されていることが好ましい。その理由は、陽極Ａの表面で発生したオゾンが気泡成長する前に速やかに陽極Ａの表面からオゾンを引き離すことが好ましいためである。つまり、流入口Ｆｉｎが下を向き、かつ、流出口が上を向いていると、浮力によって、オゾンが速やかに陽極Ａの表面から離れるためである。これによれば、オゾンが、気泡の状態で残存することを抑制され、水に溶け込み易くなることにより、オゾン水の生成効率が向上する。ただし、電解水生成装置１００は、その流路が鉛直方向に沿って延びるような姿勢以外のいかなる姿勢で他の装置に組み込まれてもよい。
【００１６】
図１に示されるように、電解水生成装置１００は、給電体Ｆおよび陽極本体ＡＭからなる陽極Ａと、陰極Ｃと、陽極Ａと陰極Ｃとの間に設けられた陽イオン交換膜Ｉと、を備えている。本実施の形態においては、陽極Ａが陽極本体ＡＭと給電体Ｆとからなる例が示されているが、陽極Ａが１つの材料によって構成されていてもよいとともに、３以上の材料によって構成されていてもよい。
【００１７】
給電体Ｆ、陽極本体ＡＭ、陽イオン交換膜Ｉ、および陰極Ｃは、積層構造４を構成している。給電体Ｆ、陽極本体ＡＭ、陽イオン交換膜Ｉ、および陰極Ｃは、いずれも、平板形状を有している。平板形状は、Ｘ方向、すなわち通水方向を長手方向とし、Ｙ方向を短手方向とする長方形の平面形状を有しており、Ｚ方向、すなわち上下方向に厚さを有している。給電体Ｆ、陽極本体ＡＭ、陽イオン交換膜Ｉ、および陰極Ｃは、この順番で下から上へ向かって、Ｚ方向に積層されている。
【００１８】
陰極Ｃは、平面視においてＶ字状の貫通孔を有している。陽イオン交換膜Ｉは、通水方向を横切る方向に複数の貫通孔が設けられている。陰極Ｃの貫通孔および陽イオン交換膜Ｉの貫通孔の中でオゾンが発生し、容器部１内の水に溶解する。これにより、オゾン水が生成される。
【００１９】
図１に示されるように、本実施の形態の電解水生成装置１００は、ハウジング５を備えている。ハウジング５は、水が流入する流入口Ｆｉｎと、水が流出する流出口Ｆｏｕｔとを有し、陽極Ａ、陰極Ｃ、および陽イオン交換膜Ｉを内包している。ハウジング５は、給電体Ｆ、陽極Ａ、陰極Ｃ、および陽イオン交換膜Ｉを受け入れる容器部１と、容器部１の開口を閉塞する蓋部２と、を含んでいる。
【００２０】
図１に示されるように、容器部１の底には、弾性体３が置かれる。弾性体３の上には、積層構造４が置かれる。蓋部２は、積層構造４を押さえ付けるように、容器部１の上面に固定される。
【００２１】
図１および図２に示されるように、ハウジング５は、外部装置２００の凸部Ｐと嵌合する位置決め用凹部Ｔを含んでいる。そのため、電解水生成装置１００を外部装置２００に対して容易に位置決めすることができる。本実施の形態においては、位置決め用凹部Ｔは、蓋部２に設けられている。そのため、位置決め用凹部Ｔに起因した強度の低下を抑制しながら、容器部１を形成することができる。ただし、位置決め用凹部Ｔは、容器部１に設けられていてもよい。
【００２２】
外部装置２００は、その外縁から垂れ下がる爪部２０１を有している。外部装置２００の爪部２０１が容器部１の上端から外方へ延びる鍔部１２の下側に引っ掛けられるように、電解水生成装置１００が外部装置２００の爪部２０１同士の間に挿入される。それにより、電解水生成装置１００が外部装置２００に固定される。なお、外部装置２００は、電解水生成装置１００で生成された電解水、たとえば、オゾン水を利用する装置である。
【００２３】
蓋部２は、相対的に肉厚が小さい薄肉部２１と、相対的に肉厚が大きい厚肉部２２とを含んでいる。位置決め用凹部Ｔは、厚肉部２２に設けられている。そのため、蓋部２の強度が低下することを抑制することができる。位置決め用凹部Ｔは、蓋部２の長手方向に沿って延びる溝部である。そのため、電解水生成装置１００を外部装置２００の凸部Ｐに対して安定的に位置決めすることができる。
【００２４】
蓋部２は、相対的にレーザを透過し易い色を有するレーザ透過性樹脂を含んでいる。容器部１は、相対的にレーザ光を吸収し易い色のレーザ吸収性樹脂を含んでいる。蓋部２のＺ方向の上側からレーザが薄肉部２１に照射される。それにより、薄肉部２１を透過したレーザが、蓋部２の薄肉部２１の下面と容器部１の上面とを加熱する。その結果、本実施の形態においては、蓋部２の薄肉部２１と容器部１とがレーザ樹脂溶着によって互いに固定される。そのため、蓋部２と容器部１とを容易に固定することができる。なお、容器部１は、黒色またはそれに近い色を有し、蓋部２は、透明や白色またはそれに近い色を有している。
【００２５】
また、蓋部２の薄肉部２１は、蓋部２に形成された溝の底部を構成し、溝に容器部１の凸部１１が挿入されている。そのため、蓋部２と容器部１とを強固に固定することができる。
【００２６】
図１に示されるように、陽極Ａには、陽極Ａ用の給電シャフトＡＳが電気的に接続されている。陽極Ａと陽極Ａ用の給電シャフトＡＳとは陽極Ａ用のバネ部ＡＢを介して接続されている。陽極Ａ用の給電シャフトＡＳは、容器部１の底面に設けられた貫通孔１Ａに挿入される。陽極Ａ用の給電シャフトＡＳの容器部１の外部に突出する部分が電力供給部の正極に電気的に接続される。
【００２７】
図１に示されるように、陰極Ｃには、陰極Ｃ用の給電シャフトＣＳが電気的に接続されている。陰極Ｃと陰極Ｃ用の給電シャフトＣＳとは陰極Ｃ用のバネ部Ｂを介して接続されている。陰極Ｃ用の給電シャフトＣＳは、容器部１の底面に設けられた貫通孔１Ｃに挿入される。陰極Ｃ用の給電シャフトＣＳの容器部１の外部に突出する部分が電力供給部の負極に電気的に接続される。
【００２８】
陽極Ａ用の給電シャフトＡＳの容器部１の外部に突出する部分および陰極Ｃ用の給電シャフトＣＳの容器部１の外部に突出する部分が、オーリングＯ、ワッシャＷ、座金Ｓ、および六角ナットＮに挿入される。その結果、積層構造４を構成する給電体Ｆ、陽極Ａ、陽イオン交換膜Ｉ、および陰極Ｃを六角ナットＮの締め付けによって固定することができる。
【００２９】
ハウジング５は、給電体Ｆ、陽極Ａ、陰極Ｃ、および陽イオン交換膜Ｉを受け入れる容器部１と、容器部１の開口を閉塞する蓋部２と、を含んでいる。電解水生成装置１００は、容器部１の底面と給電体Ｆ、陽極Ａ、陰極Ｃ、および陽イオン交換膜Ｉからなる積層構造４との間に弾性体３を備えている。
【００３０】
容器部１は、その底面に接するように弾性体３を受け入れている。容器部１は、弾性体３の形状に対応する形状を有している。弾性体３の上面に接するように積層構造４が設けられている。蓋部２が給電体Ｆ、陽極Ａ、陰極Ｃ、および陽イオン交換膜Ｉを弾性体３に向かって押さえ付けるように構成されている。具体的には、蓋部２の下側において蓋部２から下方へ突出している突出部が陰極Ｃの上面を押さ付ける。それにより、積層構造４は、下方へ押し下げられる。このとき、弾性体３は、積層構造４の下側で、蓋部２から積層構造４へ加えられる力を吸収する。
【００３１】
弾性体３は、一般に、蓋部２が積層構造４を介して上方から下方へ押さえ付ける力によって側方へ膨らむように変形しようとする。しかしながら、本実施の形態の弾性体３は、弾性体３が容器部１の側壁に向かって変形することを抑制する中空部Ｈを含んでいる。そのため、弾性体３の貫通孔としての中空部Ｈの内面が内側へ向かうように変形する。弾性体３の変形が容器部１の内壁へ悪影響を与えること、具体的には、容器部１の変形や損傷を抑制することができる。また、弾性体３の変形が、容器部１、ならびに、給電体Ｆ、陽極Ａ、陰極Ｃ、および陽イオン交換膜Ｉに悪影響を与えることを抑制することができる。
【００３２】
中空部Ｈは、蓋部２から容器部１の底面に向かう方向に延びる複数の貫通孔である。複数の貫通孔は、上下方向に互いに平行に延びている。そのため、簡単に中空部Ｈを形成することができる。弾性体３の変形が容器部１、ならびに、積層構造４に悪影響を与えることを抑制することができるのであれば、中空部Ｈとして、貫通孔の代わりに、弾性体３の上面および下面のそれぞれに凹部が弾性体３に設けられていてもよい。
【００３３】
弾性体３は、ある方向に沿って延びる実質的に直方体の形状を有している。実質的に直方体の形状とは、数学的な意味での厳密な直方体を意味するのではなく、全体として直方体を想起させる形状であれば、多少の凹凸を有していてもよい。
【００３４】
中空部Ｈは、直方体の長手方向に沿って一列に並べられている。具体的には、中空部Ｈは、弾性体３が建築用コンクリートブロックまたは格子形状に類似した形状になるように設けられている。また、中空部Ｈは、通水方向に沿って複数の貫通孔が一列に並べられた形状によって構成されている。
【００３５】
図２および図３に示されるように、容器部１は、容器部１の底面と容器部１の内側面とを連続するように接続する円弧状コーナー部Ｒ１を含んでいる。弾性体３は、弾性体３の下面と弾性体３の側面とを連続するように接続する円弧状面取り部Ｒ２を含んでいる。円弧状面取り部Ｒ２は、円弧状コーナー部Ｒ１に対応する形状、すなわち、円弧状コーナー部Ｒ１に嵌り合う形状を有し、円弧状コーナー部Ｒ１に密着する。そのため、弾性体３は、容器部１にしっかりと密着し、安定的に容器部１に固定される。
【００３６】
弾性体３の積層構造４側の面は、面一の平面である。したがって、弾性体３は、積層構造４の下面に密着し、積層構造４の安定的に支持する。
【００３７】
弾性体３は、弾性体３の長手方向の両側面のそれぞれから外部へ突出する弾性体嵌合部ＰＲを含んでいる。本実施の形態においては、弾性体嵌合部ＰＲは、凸部であるが、凹部であってもよい。容器部１は、２つの弾性体嵌合部ＰＲのそれぞれを受け入れる２つの容器被嵌合部ＲＥを含んでいる。本実施の形態においては、容器被嵌合部ＲＥは、凹部であるが、凸部であってもよい。弾性体嵌合部ＰＲおよび容器被嵌合部ＲＥは、互いに嵌合する形状であれば、いかなる形状を有していてもよい。
【００３８】
また、弾性体３は、Ｚ軸方向に沿って見たとき、Ｘ軸の方向およびＹ軸の方向のそれぞれに沿った中心軸に対して、鏡面対称の形状を有している。一方、弾性体３は、Ｚ軸方向においては、非対称な構造となっている。また、弾性体３は、水の通水方向に垂直な仮想平面に対して鏡面対称である。そのため、弾性体３は、２つの弾性体嵌合部ＰＲのいずれを２つの容器被嵌合部ＲＥのいずれにも入れることができる。つまり、長手方向を有する弾性体３は、その長手方向が通水方向に沿って延びるように配置さえしていれば、その長手方向の両端部がどちらの向きを向いていても、容器部１に適切に嵌め込まれ得る。そのため、弾性体３の容器部１への嵌め込みが容易になる。
【００３９】
仮に、弾性体３が容器部１に積層方向において裏表逆向きで入れられると、容器部１と弾性体３との間に隙間が残存するため、弾性体３が変形するおそれがあり、陽極Ａ、陰極Ｃ、および陽イオン交換膜Ｉの位置が安定しない。しかしながら、弾性体嵌合部ＰＲおよび容器被嵌合部ＲＥは、陽極Ａ、陽イオン交換膜Ｉ、および陰極Ｃの積層方向において弾性体３がハウジング５へ裏表、すなわち図２および図３における上下逆向きに入れられることを防止する構造を有している。具体的には、弾性体嵌合部ＰＲは、凸部であり、弾性体３の側面の上端側の一部においてのみ突出している。容器被嵌合部ＲＥは、弾性体嵌合部ＰＲとしての凸部に嵌合する凹部形状を有している。そのため、弾性体３のハウジング５への上下方向が逆向きになった状態での挿入、すなわち裏表逆入れを容易に防止することができる。その結果、積層方向における弾性体３の裏表逆入れによって円弧状凹部Ｒ１と円弧状凸部Ｒ２とが密着しないという不具合を容易に防止することができる。したがって、弾性体３は、積層構造４を安定的に支持することができる。
【００４０】
実施の形態の電解水生成装置１００は、オゾン水を生成するオゾン水生成装置であるが、生成させる物質はオゾン水に限定されない。たとえば、電解水生成装置は、次亜塩素酸を生成することにより、殺菌作用を発揮するものであってもよい。また、電解水生成装置は、酸素水、水素水、塩素含有水、または過酸化水素水等を生成するものであってもよい。
【００４１】
本実施の形態の電解水生成装置１００の陽極Ａは、導電性シリコン、導電性ダイヤモンド、チタン、白金、酸化鉛、または酸化タンタル等の電解水を生成することができ、導電性および耐久性を有するのであれば、いかなる物質により構成されていてもよい。本実施の形態においては、たとえば、陽極本体ＡＭが導電性ダイヤモンドで構成されており、給電体Ｆがチタンで構成されている。陽極Ａがダイヤモンド電極である場合、陽極Ａの製造方法は、成膜による製造方法に限定されず、また、金属以外の材料を用いるものであってもよい。
【００４２】
陰極Ｃは、導電性と耐久性を備えた電極であればよく、例えば白金やチタン、ステンレス、導電性シリコンなどで構成することも可能である。
【００４３】
本実施の形態の電解水生成装置１００は、電解処理した液中の電解水生成濃度を高めることを可能にする装置に取り付けることによって使用することができる。その装置は、たとえば、浄水装置等の水処理機器、洗濯機、食洗機、温水洗浄便座、冷蔵庫、給湯給水装置、殺菌装置、医療用機器、空調機器、または厨房機器等である。
【００４４】
以下、実施の形態の電解水生成装置１００の特徴的構成およびそれにより得られる効果が述べられる。
【００４５】
（１）  電解水生成装置１００は、陽極Ａと、陰極Ｃと、陽極Ａと陰極Ｃとの間に設けられた陽イオン交換膜Ｉと、を備えている。電解水生成装置１００は、水が流入する流入口Ｆｉｎと、水が流出する流出口Ｆｏｕｔとを有し、陽極Ａ、陰極Ｃ、および陽イオン交換膜Ｉを内包するハウジング５を備えている。ハウジング５は、陽極Ａ、陰極Ｃ、および陽イオン交換膜Ｉを受け入れる容器部１と、容器部１の開口を閉塞する蓋部２と、を含んでいる。電解水生成装置１００は、容器部１の底面と陽極Ａ、陰極Ｃ、および陽イオン交換膜Ｉとの間に設けられた弾性体３をさらに備えている。蓋部２が陽極Ａ、陰極Ｃ、および陽イオン交換膜Ｉを弾性体３に向かって押さえ付けるように構成されている。弾性体３は、弾性体３が容器部１の側壁に向かって変形することを抑制する中空部Ｈを含んでいる。これによれば、弾性体３の変形が陽極Ａ、陰極Ｃ、および陽イオン交換膜Ｉに悪影響を与えることを抑制することができる。
【００４６】
（２）  中空部Ｈは、蓋部２から容器部１の底面に向かう方向に延びる貫通孔である。これによれば、簡単に中空部Ｈを形成することができる。
【００４７】
（３）  弾性体３は、ある方向に沿って延びる実質的に直方体の形状を有し、中空部Ｈは、直方体の長手方向に沿って一列に並べられていてもよい。これによっても、通水方向に沿って貫通孔を一列に並べることができる。
【００４８】
（４）  電解水生成装置１００は、陽極Ａと、陰極Ｃと、陽極Ａと陰極Ｃとの間に設けられた陽イオン交換膜Ｉと、を備えている。電解水生成装置１００は、水が流入する流入口Ｆｉｎと、水が流出する流出口Ｆｏｕｔとを有し、陽極Ａ、陰極Ｃ、および陽イオン交換膜Ｉを内包するハウジング５を備えている。ハウジング５は、陽極Ａ、陰極Ｃ、および陽イオン交換膜Ｉを受け入れる容器部１と、容器部１の開口を閉塞する蓋部２と、を含んでいる。電解水生成装置１００は、容器部１の底面と陽極Ａ、陰極Ｃ、および陽イオン交換膜Ｉとの間に設けられた弾性体３をさらに備えている。容器部１は、容器部１の底面と容器部１の内側面とを連続するように接続する円弧状コーナー部Ｒ１を含んでいてもよい。弾性体３は、弾性体３の下面と弾性体３の側面とを連続するように接続し、円弧状コーナー部Ｒ１に密着する円弧状面取り部Ｒ２を含んでいてもよい。容器部１は、容器部１の内側の側面に容器被嵌合部ＲＥを含んでいてもよい。弾性体３は、弾性体３の側面に容器被嵌合部ＲＥと嵌合する弾性体嵌合部ＰＲを含んでいてもよい。弾性体嵌合部ＰＲおよび容器被嵌合部ＲＥは、陽極Ａ、陽イオン交換膜Ｉ、および陰極Ｃの積層方向において弾性体３がハウジング５へ裏表逆向きに入れられることを防止する構造を構成していてもよい。これによれば、弾性体３のハウジング５への積層方向における裏表逆入れを容易に防止することができる。
【００４９】
（５）  弾性体３は、水の通水方向に垂直な仮想平面に対して鏡面対称である。これによれば、弾性体３は、通水方向に沿って延びるように配置さえしていれば、その両端部がいずれの向きを向いていても、容器部１に適切に嵌め込まれ得る。そのため、弾性体３の容器部１への嵌め込みが容易になる。
【符号の説明】
【００５０】
１  容器部
２  蓋部
３  弾性体
５  ハウジング
１００  電解水生成装置
Ａ  陽極
Ｃ  陰極
Ｆｉｎ  流入口
Ｆｏｕｔ  流出口
Ｈ  中空部
Ｉ  陽イオン交換膜
ＰＲ  弾性体嵌合部
ＲＥ  容器被嵌合部
Ｒ１  円弧状コーナー部
Ｒ２  円弧状面取り
【図１】
2020011178.tif 000003
【図２】
2020011178.tif 000004
【図３】
2020011178.tif 000005